(57)【要約】      （修正有）【課題】施術中の被施術者の圧迫的な負担を減少させることができるエステティック用ベッドを提供する。【解決手段】エステティック用ベッド１は、被施術者の身体上部を支える背もたれ部３と、身体下部を支える座部２と、を設け、背もたれ部３が座部２に対して取り付けられたエステティック用ベッドであって、座部２は、仰向け姿勢の被施術者の臀部を支える臀部受圧面２２ａを構成する臀部受圧部２２が軟質部材を内包し、臀部受圧面２２ａ以外の臀部隣接受圧面２１ａを構成する臀部隣接受圧部２１が硬質部材を内包している。軟質部材は、その硬さが５０Ｎ以上１００Ｎ未満であり、硬質部材は、その硬さが１００Ｎ以上５００Ｎ以下である。【選択図】図１
0003219913.tif 000002
【実用新案登録請求の範囲】
【請求項１】
被施術者の身体上部を支える背もたれ部と、身体下部を支える座部と、を設け、該背もたれ部が該座部に対して取り付けられたエステティック用ベッドであって、
該座部は、仰向け姿勢の被施術者の臀部を支える臀部受圧面を構成する臀部受圧部が軟質部材を内包し、該臀部受圧面以外の臀部隣接受圧面を構成する臀部隣接受圧部が硬質部材を内包し、
該軟質部材の硬さ（軟質発泡材料―物理特性―第２部：硬さ及び圧縮応力−ひずみ特性の求め方（JIS K 6400-2:2012）6.4 Ａ法（40％定圧縮して30秒後の力を求める方法）に規定する硬さ試験の硬さをいう。以下同じ。）が５０Ｎ以上１００Ｎ未満であり、該硬質部材の硬さが１００Ｎ以上５００Ｎ以下である、ことを特徴とするエステティック用ベッド。
【請求項２】
被施術者の身体上部を支える背もたれ部と、身体下部を支える座部と、を設け、該背もたれ部が該座部に対して取り付けられたエステティック用ベッドであって、
該背もたれ部は、うつ伏せ姿勢の被施術者の胸部を支える胸部受圧面を構成する胸部受圧部が軟質部材を内包し、該胸部受圧面以外の胸部隣接受圧面を構成する胸部隣接受圧部が硬質部材を内包し、
該軟質部材の硬さが５０Ｎ以上１００Ｎ未満であり、該硬質部材の硬さが１００Ｎ以上５００Ｎ以下である、ことを特徴とするエステティック用ベッド。
【請求項３】
前記軟質部材の硬さが６０Ｎ以上８０Ｎ以下であり、前記硬質部材の硬さが１２５Ｎ以上２００Ｎ以下であることを特徴とする請求項１又は２に記載のエステティック用ベッド。
【請求項４】
前記軟質部材及び／又は前記硬質部材が、発泡ポリウレタン樹脂から形成されていることを特徴とする請求項１又は２に記載のエステティック用ベッド。
【考案の詳細な説明】
【技術分野】
【０００１】
本考案は、エステティックサロンにおいて使用されるエステティック用ベッドに関する。
【背景技術】
【０００２】
エステティックサロンでは身体へのマッサージ（施術）が行われ、その際には、エステティック用ベッドが使用される。マッサージを受ける被施術者は、エステティック用ベッドに、寝そべり、施術の順序により、仰向け姿勢とうつ伏せ姿勢とを繰り返し変えて施術を受ける。
【０００３】
特許文献１には、マッサージを受ける被施術者の背部及び頭部を任意の角度で起こすことが可能なエステティック用ベッドが記載されている。このエステティック用ベッドは、施術を受ける際に、被施術者が背部及び頭部を任意の角度で起こすことができるため、施術中の被施術者の姿勢的な負担を小さくすることができる。
【先行技術文献】
【特許文献】
【０００４】
【特許文献１】特開２００１−２９２８４９号公報
【考案の概要】
【考案が解決しようとする課題】
【０００５】
しかし、特許文献１に記載されたエステティック用ベッドは、施術中の被施術者の姿勢的な負担を小さくすることができるものの、被施術者が寝そべるベッドを構成する座部と背もたれ部とが、施術の押圧力が逃げない硬さを有しているものであるため、施術中の被施術者の圧迫的な負担が生じるおそれがあるという課題があった。
【０００６】
本考案は、これらの課題を解決するものであり、施術中の被施術者の圧迫的な負担を減少させることができるエステティック用ベッドを提供すること、を目的とする。
【課題を解決するための手段】
【０００７】
本考案に係るエステティック用ベッドは、
被施術者の身体上部を支える背もたれ部と、身体下部を支える座部と、を設け、該背もたれ部が該座部に対して取り付けられたエステティック用ベッドであって、
該座部は、仰向け姿勢の被施術者の臀部を支える臀部受圧面を構成する臀部受圧部が軟質部材を内包し、該臀部受圧面以外の臀部隣接受圧面を構成する臀部隣接受圧部が硬質部材を内包し、
該軟質部材の硬さ（軟質発泡材料―物理特性―第２部：硬さ及び圧縮応力−ひずみ特性の求め方（JIS K 6400-2:2012）6.4 Ａ法（40％定圧縮して30秒後の力を求める方法）に規定する硬さ試験の硬さをいう。以下同じ。）が５０Ｎ以上１００Ｎ未満であり、該硬質部材の硬さが１００Ｎ以上５００Ｎ以下である、ことを特徴とする。
【０００８】
本考案のエステティック用ベッドによれば、臀部を支える臀部受圧面を構成する臀部受圧部が、硬さ５０Ｎ以上１００Ｎ未満の柔らかい部材を内包しているため、被施術者が仰向けの姿勢で寝そべったとき、臀部が、座部に沈み込み、広い面積でサポートされるため、施術中の被施術者の圧迫的な負担を減少させることができる。また、臀部隣接受圧部が、硬さ１００Ｎ以上５００Ｎ以下の硬い部材を内包しているため、脚部などの施術の際には施術の押圧力が逃げることを防止することができる。
【０００９】
また、本考案に係るエステティック用ベッドは、
被施術者の身体上部を支える背もたれ部と、身体下部を支える座部と、を設け、該背もたれ部が該座部に対して取り付けられたエステティック用ベッドであって、
該背もたれ部は、うつ伏せ姿勢の被施術者の胸部を支える胸部受圧面を構成する胸部受圧部が軟質部材を内包し、該胸部受圧面以外の胸部隣接受圧面を構成する胸部隣接受圧部が硬質部材を内包し、
該軟質部材の硬さが５０Ｎ以上１００Ｎ未満であり、該硬質部材の硬さが１００Ｎ以上５００Ｎ以下である、ことを特徴とする。
【００１０】
本考案のエステティック用ベッドによれば、胸部を支える胸部受圧面を構成する胸部受圧部が、硬さ５０Ｎ以上１００Ｎ未満の柔らかい部材を内包しているため、被施術者がうつ伏せの姿勢で寝そべったとき、胸部が、背もたれ部に沈み込み、広い面積でサポートされるため、施術中の被施術者の圧迫的な負担を減少させることができる。また、胸部隣接受圧部が、硬さ１００Ｎ以上５００Ｎ以下の硬い部材を内包しているため、肩部などの施術の際には施術の押圧力が逃げることを防止することができる。
【００１１】
ここで、上記エステティック用ベッドにおいて、前記軟質部材の硬さが６０Ｎ以上８０Ｎ以下であり、前記硬質部材の硬さが１２５Ｎ以上２００Ｎ以下である、ものとすることができる。
【００１２】
これによれば、臀部受圧部又は胸部受圧部が、より柔らかい部材を内包しているため、施術中の被施術者の圧迫的な負担をより減少させることができる。また、臀部隣接受圧部又は胸部隣接受圧部が十分な硬さの部材を内包しているため、脚部や肩部などの施術の際には施術の押圧力が逃げることを防止することができる。
【００１３】
ここで、上記エステティック用ベッドにおいて、前記軟質部材及び／又は前記硬質部材が、発泡ポリウレタン樹脂から形成されている、ものとすることができる。
【００１４】
これによれば、発泡ポリウレタン樹脂が安価で加工性に優れる材料であるため、エステティック用ベッドの製造コストを抑制することができる。
【考案の効果】
【００１５】
本考案のエステティック用ベッドによれば、施術中の被施術者の圧迫的な負担を減少させることができる。
【図面の簡単な説明】
【００１６】
【図１】本考案のエステティック用ベッドの平面図である。
【図２】図１のII−II線位置の説明断面図である。
【図３】同エステティック用ベッドの背もたれ部を起こした状態の前方からの斜視図である。
【考案を実施するための形態】
【００１７】
以下、本考案のエステティック用ベッドの実施形態を図面に基づいて説明する。図１〜３に示すように、実施形態のエステティック用ベッド１は、被施術者の身体上部を支える背もたれ部３と、身体下部を支える座部２と、を設け、背もたれ部３が座部２に対してリクライニング可能に取り付けられたエステティック用ベッドであって、座部２は、仰向け姿勢の被施術者Ｗの臀部を支える臀部受圧面２２ａを構成する臀部受圧部２２が軟質部材１２を内包し、臀部受圧面２２ａ以外の臀部隣接受圧面２１ａを構成する臀部隣接受圧部２１が硬質部材１１を内包している。軟質部材１２は、その硬さが５０Ｎ以上１００Ｎ未満であり、硬質部材１１は、その硬さが１００Ｎ以上５００Ｎ以下である。なお、本明細書において、記載する前後は、被施術者Ｗの身長方向を前後方向とし、図１に示すように、足側（座部２側）が前であり頭側（背もたれ部３側）が後ろであり、上下は、エステティック用ベッド１が設置された状態の上下であり、左右は、エステティック用ベッド１の前部をその前方から見たときの左右である。
【００１８】
座部２は、図１に示すように、平面視が略矩形の平板状体であり、被施術者Ｗがエステティック用ベッド１に寝そべった際に、被施術者Ｗの腰部（臀部）から下の身体下部を支える部材である。
【００１９】
座部２は、後側中央部分の被施術者Ｗが仰向け姿勢を取ったときに臀部が乗る部分に、被施術者Ｗの臀部を支える臀部受圧面２２ａを構成する臀部受圧部２２が備えられ、座部２の臀部受圧部２２以外の部分に、被施術者Ｗの脚部や乗降の際に腰部（臀部）を支える臀部隣接受圧面２１ａを構成する臀部隣接受圧部２１が備えられている。図２に示すように、座部２は、下から、鋼材からなるフレーム１３、木材からなる基材１４、後述する硬質部材１１又は軟質部材１２、軟質発泡ポリエチレンからなる表層材１５、及び、平織り布からなる化粧材１６、の層からなる構成としている。
【００２０】
臀部隣接受圧部２１は、脚部の施術の際には施術の押圧力を逃がさない硬さを要し、被施術者Ｗの乗降の際には被施術者Ｗが座部２の外周近傍に腰を掛けて乗降可能な硬さを要する。このため、臀部隣接受圧部２１は、硬質部材１１を内包している。硬質部材１１には、硬さが１３０Ｎである発泡ポリウレタンを使用した。
【００２１】
臀部受圧部２２は、被施術者が仰向け姿勢で寝そべったときに、圧迫的な負担を減少させるため、臀部が座部２に沈み込む柔軟性を要する。このため、臀部受圧部２２は、軟質部材１２を内包している。軟質部材１２には、硬さが７０Ｎである発泡ポリウレタンを使用した。
【００２２】
背もたれ部３は、図１に示すように、平面視が前側を底辺とする略三角形の平板状体であり、被施術者Ｗがエステティック用ベッド１に寝そべった際に、被施術者Ｗの背中から上の身体上部を支える部材である。また、図３に示すように、背もたれ部３は、座部２に対してリクライニング可能に取り付けられている。
【００２３】
背もたれ部３は、前側中央部分の被施術者Ｗがうつ伏せ姿勢を取ったときに胸部が乗る部分に、被施術者Ｗの胸部を支える胸部受圧面３２ａを構成する胸部受圧部３２が備えられ、胸部受圧部３２周辺の部分に、被施術者Ｗの肩部や腹部を支える胸部隣接受圧面３１ａを構成する胸部隣接受圧部３１が設けられている。また、背もたれ部３がなす略三角形の頂部の内側には、うつ伏せ姿勢の被施術者Ｗの呼吸の妨げにならないように、顔穴部３３が設けられている。
【００２４】
図２に示すように、背もたれ部３の胸部隣接受圧面３１ａは、下から、鋼材からなるフレーム１３、木材からなる基材１４、後述する硬質部材１１、軟質発泡ポリエチレンからなる表層材１５、及び、平織り布からなる化粧材１６、の層からなる構成とした。胸部受圧面３２ａは、下から、鋼材からなるフレーム１３、後述する軟質部材１２、軟質発泡ポリエチレンからなる表層材１５、及び、平織り布からなる化粧材１６、の層からなる構成とした。顔穴部３３の外枠となる顔穴枠部３４は、硬質部材１１から形成される枠体とした。
【００２５】
胸部隣接受圧部３１は、肩部などの施術の際には施術の押圧力が逃げない硬さを要する。このため、胸部隣接受圧部３１は、硬質部材１１を内包している。硬質部材１１には、硬さが１３０Ｎである発泡ポリウレタンを使用した。なお、硬質部材１１は、原材料の共通化のため、胸部隣接受圧部３１、臀部隣接受圧部２１及び顔穴枠部３４の硬質部材１１に、同じ発泡ポリウレタンからなる硬質部材１１を用いた。
【００２６】
胸部受圧部３２は、被施術者Ｗがうつ伏せ姿勢で寝そべったときに、圧迫的な負担を減少させるため、胸部が背もたれ部３に沈み込む柔軟性を要する。このため、胸部受圧部３２は、軟質部材１２を内包している。軟質部材１２には、硬さが７０Ｎである発泡ポリウレタンを使用した。なお、軟質部材１２は、原材料の共通化のため、胸部受圧部３２及び臀部受圧部２２の軟質部材１２に、同じ発泡ポリウレタンからなる軟質部材１２を用いた。
【００２７】
顔穴枠部３４は、頭部の施術の際には施術の押圧を逃がさない硬さを要する。このため、顔穴枠部３４は、硬質部材１１から形成され、被施術者Ｗがうつ伏せ姿勢をとったときに呼吸の妨げとならないように、顔穴部３３が設けられている。
【００２８】
背もたれ部３は、図３に示すように、座部２に対してリクライニング可能に取り付けられ、図示しない駆動用モータを用いたリクライニング機構によって、リクライニング可能としている。また、エステティック用ベッド１は、図示しない昇降機能を備えた脚台によって、エステティックサロンの床に設置される。
【００２９】
次に、実施形態のエステティック用ベッド１の使用方法について述べる。
【００３０】
マッサージ（施術）を行なう施術者の指示によって、被施術者Ｗは、エステティック用ベッド１に、仰向け姿勢で寝そべる。このとき、座部２の被施術者Ｗの臀部を支える臀部受圧面２２ａを構成する臀部受圧部２２が軟質部材１２を内包しているため、被施術者Ｗの臀部が座部２に沈み込み、臀部の圧迫的な負担が減少させられる。このため、被施術者Ｗは、楽な状態で施術を受けることができる。
【００３１】
仰向け姿勢での施術の際には、施術を受ける被施術者Ｗの脚部などを支える臀部隣接受圧面２１ａを構成する臀部隣接受圧部２１が硬質部材１１を内包しているため、施術者の施術による押圧力が逃げることなく被施術者Ｗの施術部位に伝わる。このため、被施術者Ｗは、確実な施術を受けることができる。
【００３２】
施術者の指示によって、被施術者Ｗが仰向け姿勢からうつ伏せ姿勢に寝返るとき、被施術者Ｗが手を付く臀部隣接受圧面２１ａを構成する臀部隣接受圧部２１が硬質部材１１を内包しているため、被施術者Ｗが手に力を入れても手が座部２に沈み込むことがない。このため、被施術者Ｗは、楽に寝返りをすることができる。
【００３３】
被施術者Ｗがうつ伏せ姿勢で寝そべったとき、背もたれ部３の被施術者Ｗの胸部を支える胸部受圧面３２ａを構成する胸部受圧部３２が軟質部材１２を内包しているため、被施術者Ｗの胸部が背もたれ部３に沈み込み、胸部の圧迫的な負担が減少させられる。このため、被施術者Ｗは、楽な状態で施術を受けることができる。
【００３４】
うつ伏せ姿勢での施術の際には、施術を受ける被施術者Ｗの肩部などを支える胸部隣接受圧面３１ａを構成する胸部隣接受圧部３１が硬質部材１１を内包しているため、施術者の施術による押圧力が逃げることなく被施術者Ｗの施術部位に伝わる。このため、被施術者Ｗは、確実な施術を受けることができる。
【００３５】
施術終了時など被施術者Ｗが寝そべった姿勢から起き上がるとき、被施術者Ｗが手を付く臀部隣接受圧面２１ａを構成する臀部隣接受圧部２１が硬質部材１１を内包しているため、被施術者Ｗが手に力を入れても手が座部２に沈み込むことがない。このため、被施術者Ｗは、楽に起き上がることができる。
【００３６】
なお、実施形態のエステティック用ベッドは、以下のような形態であっても実施することができる。
【００３７】
実施形態の硬質部材１１には、硬さが１３０Ｎである発泡ポリウレタンを使用したが、硬さが、１００Ｎ以上５００Ｎ以下の素材であれば、硬質部材１１として使用することができる。硬質部材１１の硬さが１００Ｎ未満だと、施術の押圧力が逃げて、施術の効果が薄れるおそれがある。一方、硬質部材１１の硬さが５００Ｎを超えると、座部２と背もたれ部３とが硬すぎ、被施術者Ｗの寝心地が劣るおそれがある。より好ましくは、硬質部材１１の硬さは、１２５Ｎ以上２００Ｎ以下である。
【００３８】
実施形態の軟質部材１２には、硬さが７０Ｎである発泡ポリウレタンを使用したが、硬さが、５０Ｎ以上１００Ｎ未満の素材であれば、軟質部材１２として使用することができる。軟質部材１２の硬さが５０Ｎ未満だと、胸部または臀部へのサポートが弱くなるおそれがある。一方、軟質部材１２の硬さが１００Ｎを超えると、臀部受圧部２２と胸部受圧部３２とが硬すぎ、被施術者Ｗの圧迫的な負担を減少させることができないおそれがある。より好ましくは、軟質部材１２の硬さは、６０Ｎ以上８０Ｎ以下である。
【００３９】
実施形態の硬質部材１１と軟質部材１２には、発泡ポリウレタンを使用したが、硬質部材１１又は軟質部材１２の規定された硬さを満たすものであれば、発泡ポリスチレンや発泡ポリエチレンなどの樹脂発泡体、ポケットコイルやボンネルコイルなどのコイルばねなども使用することができる。
【００４０】
実施形態のエステティック用ベッド１は、背もたれ部３が座部２に対してリクライニング可能に取り付けられたものとしたが、背もたれ部と座部とが一体に成形されたリクライニング機能を有さないエステティック用ベッドに対しても適用することができる。
【符号の説明】
【００４１】
１…エステティック用ベッド、２…座部、３…背もたれ部、１１…硬質部材、１１…軟質部材、１２…軟質部材、１３…フレーム、１４…基材、１５…表層材、１６…化粧材、２１…臀部隣接受圧部、２１ａ…臀部隣接受圧面、２２…臀部受圧部、２２ａ…臀部受圧面、３１…胸部隣接受圧部、３１ａ…胸部隣接受圧面、３２…胸部受圧部、３２ａ…胸部受圧面、３３…顔穴部、３４…顔穴枠部、Ｗ…被施術者。
【図１】
0003219913.tif 000003
【図２】
0003219913.tif 000004
【図３】
0003219913.tif 000005